(57)【要約】【課題】簡易に製造できるうえ、簡単に連結可能であって、しかも、全体の重量も軽量化された作業性の良い忍び返し具を提供する。【解決手段】フェンス、塀、門扉、門塀等の包囲部材Ｂの上端に取付される忍び返し具Ａであって、前記包囲部材Ｂに取付可能な基台部１と、この基台部１に所定間隔をあけて、上方に延設された複数の忍び返し部２と、より構成してなり、前記基台部１は、板片を下方に向けて開放した断面コ状に形成し、前記忍び返し部２は、板片を横断面Ｖ状に形成すると共に、下端には、前記基台部１に固定可能な固定部２１を設け、且つ、上端には、複数に分岐された忍び返し片２２を形成している。【選択図】図１
2006207285.tif 000002
【特許請求の範囲】
【請求項１】
フェンス、塀、門扉、門塀等の包囲部材の上端に取付される忍び返し具であって、
前記包囲部材に取付可能な基台部と、この基台部に所定間隔をあけて、上方に延設された複数の忍び返し部と、より構成してなり、
前記基台部は、板片を下方に向けて開放した断面コ状に形成し、
前記忍び返し部は、板片を横断面略Ｖ状に形成すると共に、下端には、前記基台部に固定可能な固定部を設け、且つ、上端には、複数に分岐された忍び返し片を形成したことを特徴とする忍び返し具。
【請求項２】
請求項１において、
基台部の一端には、他の基台部の他端に嵌挿される連結片を設けたことを特徴とする忍び返し具。
【請求項３】
請求項１又は２の何れかにおいて、
忍び返し片の上端に、尖鋭部を形成したことを特徴とする忍び返し具。
【発明の詳細な説明】
【技術分野】
【０００１】
本発明は、フェンス、塀、門扉、門塀等の包囲部材を乗り越えることを防止するための忍び返し具に関する。
【背景技術】
【０００２】
従来、フェンス、塀、門扉、門塀等の包囲部材の上端には、この包囲部材を侵入者等が乗り越えることを防止するための忍び返し具を設けている（例えば、特許文献１参照。）。
【０００３】
この忍び返し具は、包囲部材に応じて様々な構造のものが知られているが、例えば、前記包囲部材の上端に固定する基台部と、この基台部に所定間隔をあけて、上端を鋭利な釘状に形成した金属棒を鉛直方向に向けて複数固定すると共に、この金属棒の適所には、更に先端を鋭利な釘状に形成した忍び返し枝部を外側（包囲部材が設置される敷地境界の外側）に向けて突出させて溶接してなる。
【特許文献１】特開２００３−３０１６２９号公報
【発明の開示】
【発明が解決しようとする課題】
【０００４】
しかしながら、従来の忍び返し具は、先端を鋭利な釘状に形成した金属棒の適所に、この金属棒と同様の棒状の忍び返し枝部を適所に溶接して形成された構造であり、また、前記金属棒の下端を固定する前記基台部にも金属棒が使用されている。
【０００５】
そのため、従来の忍び返し部は、全体の重量が重いため、作業性が悪いうえ、デザイン的な見栄えも悪いという問題があった。
【０００６】
また、施工現場の状況によっては、前記包囲部材が長い場合が多く、忍び返し具の長手方向への長さを伸ばしたい場合には、前記基台部の一端を、他の基台部の他端に溶接して連結する作業となり、基台を延長する際の連結作業に手間がかかるという問題もあった。
【０００７】
本発明は、かかる課題を解決することを目的とするもので、全体の重量を軽量化して作業性が良いうえ見栄えも良く、しかも、簡単に連結可能な忍び返し具を提供する。
【課題を解決するための手段】
【０００８】
請求項１に係る忍び返し具は、フェンス、塀、門扉、門塀等の包囲部材の上端に取付される忍び返し具であって、前記包囲部材に取付可能な基台部と、この基台部に所定間隔をあけて、上方に延設された複数の忍び返し部と、より構成してなり、前記基台部は、板片を下方に向けて開放した断面コ状に形成し、前記忍び返し部は、板片を横断面略Ｖ状に形成すると共に、下端には、前記基台部に固定可能な固定部を設け、且つ、上端には、複数に分岐された忍び返し片を形成したことを特徴とする。
【０００９】
請求項２に係る忍び返し具は、請求項１において、基台部の一端には、他の基台部の他端に嵌挿される連結片を設けたことを特徴とする。
【００１０】
請求項３に係る忍び返し具は、請求項１又は２の何れかにおいて、忍び返し片の上端に、尖鋭部を形成したことを特徴とする。
【発明の効果】
【００１１】
本発明によれば、次のような効果がある。
請求項１に係る忍び返し具によれば、基台部及び忍び返し部は、板片を加工して形成しているので、簡易に製造できるうえ、全体の重量を軽量化できる。
【００１２】
また、忍び返し部は、横断面略Ｖ状に形成しているので、その強度を維持できるうえ、上方に向けて複数に分岐された葉のような感じに形成できるので、デザイン的にも斬新で見栄え良くできる。
【００１３】
請求項２に係る忍び返し具によれば、基台部の一端には、他の基台部の他端に嵌挿される連結片を設けているので、この連結片を嵌挿するだけで、基台部を簡単に延長できる。
【００１４】
請求項３に係る忍び返し具によれば、忍び返し片の上端に、尖鋭部を形成しているので、外部からの侵入者に対する威嚇効果を高めることができる。
【発明を実施するための最良の形態】
【００１５】
以下、本発明に係る忍び返し具を図面とともに説明する。
【実施例１】
【００１６】
図１は、本発明に係る忍び返し具Ａの一実施例が連結された使用状態の斜視図であり、図２は、図１で示された本発明に係る忍び返し具Ａの一実施例を示す斜視図であり、図３は、図２で示した忍び返し具Ａの連結部を拡大した要部拡大図である。
【００１７】
この忍び返し具Ａは、塀等の包囲部材Ｂの上端に取付されるものであって、包囲部材Ｂに取付可能な基台部１と、この基台部１に所定間隔をあけて、上方に延設された複数の忍び返し部２と、よりなる。
【００１８】
前記基台部１は、金属製の板片を折り曲げて、下方に向けて開放した断面コ状に形成してなる。
【００１９】
基台部１には、一定間隔をあけて忍び返し部２の下端が貫通する取付孔１１を開設すると共に、基台部１の適所には、これを包囲部材Ｂの上端に固定するための取付用孔１２を開設している。
【００２０】
また、基台部１の一端１ａには、図３で示すように、上端から段落ちされ、更に外方に向けて連結片３を延設しており、この連結片３は、他の基台部１の他端１ｂに嵌挿可能にしている。
【００２１】
このような連結方法により、２ヶ以上連結する場合、左右にズレることなく真っ直ぐな取付が可能となる。
【００２２】
忍び返し部２は、金属製の板片を折り曲げた横断面Ｖ状に形成すると共に、下端には、基台部１に固定可能な固定部２１を設け、且つ、上端には、複数に分岐された忍び返し片２２を形成してなる。
【００２３】
また、忍び返し部２は、横断面Ｖ状に形成したものを更に折り曲げて連設形成した横断面Ｎ状、Ｗ状、或いはそれ以上に形成しても良く、このようにすれば、忍び返し部２の強度を高めることができる。
【００２４】
固定部２１は、忍び返し部２の下端に、基台１の取付孔１１を貫通するボルト２１ａを下設すると共に、このボルト２１ａに螺合するナット２１ｂとで構成しており、忍び返し部２のボルト２１ａを取付孔１１に貫通したうえで、ナット２１ｂを螺合して基台部１に忍び返し部２を固定可能にしている。
【００２５】
また、固定部２１の他の形態として、忍び返し部２の下端に、基台１の取付孔１１を貫通する固定片（不図示）を延設しておき、この固定片（不図示）を取付孔１１に貫通したうえで、当該固定片（不図示）の下端をカシメ、溶接、曲げ等によって基台部１に忍び返し部２を固定可能にしても良い。
【００２６】
忍び返し片２２は、図例のように、上方に向けて僅かに湾曲させて、まるで葉のような感じに形成しており、このような形状の忍び返し片２２は、従来には無く、デザイン的にも斬新で見栄え良くできる。
【００２７】
また、忍び返し片２２の上端は、鋭利な尖鋭部２２ａに形成しており、外部からの侵入者に対する威嚇効果を高めている。
【００２８】
このように構成された本発明の忍び返し具Ａは、例えば、以下の要領で施工する。
【００２９】
先ず、図１に示すように、塀等の包囲部材Ｂの上端に基台部１を載置して、その取付用孔１２にネジ、釘等を打ち込んで、基台部１を包囲部材Ｂに固定する。
【００３０】
次いで、この固定された基台部１の一端１ａに設けた連結片３を、他の忍び返し具Ａの他端に嵌挿して連結し、この連結された他の忍び返し具Ａの取付用孔１２にネジ、釘等を打ち込んで、上記同様、その基台部１を包囲部材Ｂに固定する。
【００３１】
以下、包囲部材Ｂの長さに応じて、同要領で忍び返し具Ａを順次連結して行けば、包囲部材Ｂの上端に忍び返し具Ａを取付けできる。
【００３２】
このように、本発明の忍び返し具Ａによれば、、基台部１及び忍び返し部２は、板片を曲げ加工して形成しているので、簡易に製造できるうえ、全体の重量も軽量化できる。
【００３３】
また、忍び返し部２は、横断面Ｖ状に形成しているので、その強度を維持できるうえ、上方に向けて複数に分岐された葉のような感じに形成できるので、デザイン的にも斬新で見栄え良くできる。
【００３４】
また、包囲部材Ｂが長い場合であっても、連結片３を嵌挿するだけで忍び返し具Ａの長さを簡単に延長することができ、連結作業が簡単で、作業性を高めることができる。
【図面の簡単な説明】
【００３５】
【図１】本発明に係る忍び返し具Ａの一実施例が連結された使用状態の斜視図である。
【図２】図１で示された本発明に係る忍び返し具Ａの一実施例を示す斜視図である。
【図３】図２で示した忍び返し具Ａの連結部を拡大した要部拡大図である。
【符号の説明】
【００３６】
Ａ      忍び返し具
１      基台部
２      忍び返し部
２１    固定部
２２    忍び返し片
２２ａ  尖鋭部
３      連結片
【図１】
2006207285.tif 000003
【図２】
2006207285.tif 000004
【図３】
2006207285.tif 000005